(57)【要約】【課題】例えば、遠隔地に暮らす近親者等から、お年寄りや要介護者等の安否確認を充実させたいという要求があった。しかし、安否確認を必要以上に行なうと、お年寄りや要介護者のプライバシーを侵害することにもなりかねず、安否確認を充実させることとプライバシーを保護することを両立させることが課題になっていた。【解決手段】実施形態の映像表示装置は、操作されなかった時間を検出し、この操作されなかった時間が予め設定された時間を超える場合に、発信を行なうか否かが入力される確認表示を映像表示部に出力する確認表示出力部を備える。また、前記確認表示に係る、発信を行なう旨の入力が行なわれた場合は、予め設定された発信先に向けて発信を行なう発信部を備える。【選択図】  図１
2012227807.tif 000002
【特許請求の範囲】
【請求項１】
操作されなかった時間を検出し、この操作されなかった時間が予め設定された時間を超える場合に、発信を行なうか否かが入力される確認表示を映像表示部に出力する確認表示出力部と、
前記確認表示に係る、発信を行なう旨の入力が行なわれた場合は、予め設定された発信先に向けて発信を行なう発信部を備える映像表示装置。
【請求項２】
前記映像表示部に前記確認表示を表示する時間を出力する表示時間出力部を備える請求項１に記載の映像表示装置。
【請求項３】
前記発信を行なう旨の入力が行なわれた場合に、前記発信を行なわない旨の入力も行なわれず、前記表示された確認表示を表示する時間が経過した場合は、前記予め設定された発信先に発信を行なう請求項２に記載の映像表示装置。
【請求項４】
前記発信を行なう旨の入力が行なわれた場合に、前記発信を行なわない旨の入力が行なわれた場合は、前記発信を行なわない請求項１または請求項２に記載の映像表示装置。
【請求項５】
前記予め設定された時間および前記予め設定された発信先に係る情報を記憶する記憶部を備える請求項１に記載の映像表示装置。
【請求項６】
前記発信はＴＶ電話または電子メールによって行なわれる請求項１に記載の映像表示装置。
【請求項７】
操作されなかった時間を検出し、この操作されなかった時間が予め設定された時間を超える場合に、発信を行なうか否かが入力される確認表示を映像表示部に出力するステップと、
前記確認表示に係る、発信を行なう旨の入力が行なわれた場合は、予め設定された発信先に向けて発信を行なうステップを備える映像表示方法。
【発明の詳細な説明】
【技術分野】
【０００１】
本発明の実施形態は、映像表示装置、映像表示方法に関する。
【背景技術】
【０００２】
近年、例えば、独りや少人数で暮らすお年寄りや要介護者等の世帯が増加している。このため、例えば、遠隔地に暮らす近親者等から安否確認を充実させたいという要求があった。
【０００３】
しかし、例えば、安否確認を必要以上に行なうと、お年寄りや要介護者のプライバシーを侵害することにもなりかねない。
このため、安否確認を充実させることとプライバシーを保護することを両立させることが課題になっていた。
【先行技術文献】
【特許文献】
【０００４】
【特許文献１】特開２００２−３１４７１４号公報
【特許文献２】特開２００２−９９９７８号公報
【発明の概要】
【発明が解決しようとする課題】
【０００５】
上記のように、例えば、遠隔地に暮らす近親者等から、お年寄りや要介護者等の安否確認を充実させたいという要求があった。しかし、安否確認を必要以上に行なうと、お年寄りや要介護者のプライバシーを侵害することにもなりかねず、安否確認を充実させることとプライバシーを保護することを両立させることが課題になっていた。
【課題を解決するための手段】
【０００６】
実施形態の映像表示装置は、操作されなかった時間を検出し、この操作されなかった時間が予め設定された時間を超える場合に、発信を行なうか否かが入力される確認表示を映像表示部に出力する確認表示出力部を備える。
【０００７】
また、前記確認表示に係る、発信を行なう旨の入力が行なわれた場合は、予め設定された発信先に向けて発信を行なう発信部を備える。
【図面の簡単な説明】
【０００８】
【図１】実施形態に係わる映像表示装置の構成の一例を示すブロック図。
【図２】実施形態に係わる映像表示装置の外観の一例を示す図。
【図３】実施形態に係わる映像表示装置において、ＴＶ電話を発信するようすを示す図。
【図４】実施形態に係わる映像表示装置において、電子メールを発信するようすを示す図。
【図５】実施形態に係わる映像表示装置の動作を説明するフローチャート。
【発明を実施するための形態】
【０００９】
以下、図面を参照し、実施の形態を説明する。
図１は、実施形態に係わる映像表示装置の構成の一例を示すブロック図である。
符号１は映像表示装置であり、ここではテレビである。符号２はアンテナ、符号３はチューナ、符号４は信号処理部、符号５は映像処理部、符号６は音声処理部、符号７は表示装置、符号８は表示画面（映像表示部）、符号９はスピーカ、符号１０はバス、符号１１は制御部、符号１２はＭＰＵ、符号１３はＲＡＭ、符号１４はＲＯＭ、符号１５はフラッシュメモリ、符号１６は記憶部、符号１７は内部記録装置、符号１８は外部インターフェース、符号１９は外部記憶装置、符号２０は操作受信部、符号２１はリモコン、符号２２は送受信部（ネットワークや電話回線等のインターフェース）、符号２５は放送局、符号２６はネットワーク（ネットワークや電話回線等）、符号２７はＴＶ電話や電子メールの通信相手である。
【００１０】
ここでは、制御部１１はＭＰＵ（１２）を備え、映像表示装置１を制御する。ＲＡＭ（１３）、ＲＯＭ（１４）、フラッシュメモリ１５は、例えば制御部１１で行われる処理に利用される。
【００１１】
例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００１２】
信号処理部４で受信されたデジタル信号の映像コンテンツは信号処理が施され、音声処理部６および映像処理部５に送信される。
音声処理部６は信号処理が施された映像コンテンツを受信し、音声処理を施した信号をスピーカ９に送信する。
スピーカ９は音声処理が施された信号を受信し、音声を出力する。
また、映像処理部５は信号処理が施された映像コンテンツを受信し、映像処理を施した信号を表示装置７に送信する。
表示装置７は映像処理が施された信号を受信し、ＬＣＤパネル等で構成される表示画面（映像表示部）８に映像を表示する。
また、この実施の形態においては、映像表示装置１は内部記憶装置１７を備え、上記受信された映像コンテンツを記録することが可能である。
また、この実施の形態においては、映像表示装置１は上記のようにＵＳＢ接続やＬＡＮ接続される外部記憶機器１９を備えている。上記受信された映像コンテンツはこの外部記憶機器１９に記録することも可能である。
【００１３】
また映像表示装置１に対するユーザの操作は、例えばリモコン（リモートコントローラ）２１等の操作機器によって指示される。
これらの処理は、制御部１１に制御される。
また、上記のように、映像表示装置１は、例えば、送受信部（ネットワークや電話回線等のインターフェース）２２からネットワーク（ネットワークや電話回線等）２６を介し、ＴＶ電話や電子メールの通信相手２７に接続され、設定された発信先に向けてテレビ電話や電子メール等の発信を行なう。これらの発信先の設定は、ユーザによって入力され（図示せず）、例えば、フラッシュメモリ１５の記憶部１６に予め設定される。
【００１４】
また、この実施の形態においては、映像表示装置１は撮像装置（カメラ）３０を備えている。この撮像装置（カメラ）３０は、例えば、映像表示装置１の前のようすを撮像し、画像を送信するテレビ電話に用いられる。
【００１５】
図２は、実施形態に係わる映像表示装置の外観の一例を示す図である。
この実施の形態においては、映像表示装置１は、例えば、ユーザ無操作の時間、すなわち、ユーザによって映像表示装置１が操作されなかった時間を検出する。
このユーザ無操作時間の検出は、例えば、制御部１１のＭＰＵ１２が映像表示装置１の電源（図示せず）を観察し、映像表示装置１の電源がＯＮでない時間、言い換えれば、電源ＯＦＦの時間を観察することによって検出する。
【００１６】
また、この許容される、映像表示装置１の電源がＯＮでない時間に係る情報は、例えば、ユーザによって入力され（図示せず）、予め設定され、フラッシュメモリ１５の記憶部１６に記憶される。
【００１７】
ここでは、この映像表示装置１の電源がＯＮでない時間は、例えば、４８時間に設定されている。しかし、この映像表示装置１の電源がＯＮでない時間は、例えば、適宜、ユーザによって変更可能であり、２４時間、１週間、１ヶ月、３ヶ月等とすることも可能である。
【００１８】
また、この設定は、例えば、毎日午前７時や日曜日の午前７時、毎月１日の午前７時等のように、定期的に設定することも可能である。
そして、この実施の形態においては、上記検出された、操作されなかった時間を上記予め設定された時間と比較し、操作されなかった時間がこの予め設定された時間を超える場合に、テレビ電話や電子メール等の発信を行なうか否かが、ユーザによって入力される確認表示を映像表示部８に出力する。
【００１９】
符号４０は映像表示部（表示画面８）に表示される確認表示の一例である。例えば、ポップアップを表示する。
図２に示すように、上記確認表示４０には、例えば、符号４１を付した確認残り時間表示、符号４２を付した通知確認表示、符号４３を付した入力表示が表示される。
【００２０】
ここでは、通知確認表示４２は「過去48時間このＴＶは操作されませんでした。通知連絡先に通知を発信しますか？」と、確認事項が表示されている。
すなわち、ここでは、この映像表示装置１の上記無操作時間が上記設定された４８時間に達した、または４８時間を超えた場合に、この表示が表示される。
また、入力表示４３はユーザに入力を促す表示である。ここでは、例えば、上記「通知連絡先に通知を発信しますか？」という確認事項に対するユーザ入力が表示されている。
【００２１】
ここでは、例えば、「いいえ（キャンセル）」、「はい（通知発信）」のユーザ入力が表示されている。
これらの入力表示４３は、例えば、ユーザがリモコン２１を操作し、入力が行なわれる。なお、ユーザが入力を行なえない場合は、上記「いいえ（キャンセル）」、「はい（通知発信）」のどちらの入力も行なえない場合もある。
【００２２】
確認残り時間表示４１は、例えば、上記確認表示４０の通知確認表示４１や入力表示４３の表示を継続する時間を示している。ここでは、「安否確認表示残り時間  １０分００秒」と表示されている。この表示時間は例えばタイマー（図示せず）によって計測され、表示時間も変化する。なお、この確認残り時間表示４１の設定も予め、ユーザによって設定や変更が可能であり、上記と同様に、例えば、フラッシュメモリ１５の記憶部１６に記憶される。
【００２３】
そして、例えば、ユーザによって、上記「はい（通知発信）」の入力が行なわれた場合は、例えば、送受信部２２から上記予め設定された発信先に向け発信処理を行なう。
【００２４】
また、例えば、ユーザによって、上記「いいえ（キャンセル）」の入力が行なわれた場合は、上記発信先に向けた発信処理は行なわれない。
また、この実施の形態においては、例えば、上記確認残り時間表示４１（例えば、ここでは１０分）が経過しても、ユーザによって、上記「いいえ（キャンセル）」、「はい（通知発信）」のどちらの入力も行なわれない場合は、送受信部２２から上記予め設定された発信先に向け発信処理を行なう。
【００２５】
図３は、実施形態に係わる映像表示装置において、ＴＶ電話を発信するようすを示す図である。
上記のように、例えば、ユーザ無操作の時間が設定値を超え、映像表示装置１の映像表示部８に通知確認表示４２が表示される。
そして、例えば、ユーザによって、通知確認表示４２に表示された、「はい（通知発信）」の入力が行なわれた場合、または、「いいえ（キャンセル）」、「はい（通知発信）」のどちらの入力も行なわれない場合は、映像表示装置１の送受信部２２から予め設定された発信先に向け、ＴＶ電話の発信が行なわれ、ＴＶ電話通信が開始される。これによって、通信回線網５０を介し、予め設定された発信先に自動的にＴＶ電話が発信され、通話が可能になる。
【００２６】
ここでは、図３に示すように、映像表示装置１に設けられた撮像装置（カメラ）３０およびマイク４０を用い、映像表示装置１に対向する映像が撮影され、通信回線網５０を介し、上記ＴＶ電話によって、予め設定された発信先（例えばＴＶ電話機５１）に送信される。
【００２７】
そして、この発信先（ＴＶ電話機５１）は、この映像を受信し、例えば、安否確認によってこの通知が発信されたことを知ることができる。また、この映像を視聴することにより、映像表示装置１に対向する位置の状況を知ることができる。
【００２８】
このように、この実施の形態においては、例えば、安否確認において、入力表示４３を表示し、ユーザ（例えばお年寄りや要介護者等）が通知に関する「いいえ（キャンセル）」、「はい（通知発信）」の入力を行なうように構成している。
【００２９】
このため、ユーザ（例えばお年寄りや要介護者等）のプライバシーが侵害されることを防止することが可能になる。
また、この実施の形態においては、例えば、ユーザ（例えばお年寄りや要介護者等）が上記入力表示４３に表示された、「いいえ（キャンセル）」、「はい（通知発信）」等の入力を行なえない場合には、例えばＴＶ電話によって、予め設定された発信先に安否情報等を発信するように構成している。
【００３０】
このため、安否確認を充実させることが可能になる。
図４は、実施形態に係わる映像表示装置において、電子メールを発信するようすを示す図である。
この実施の形態においては、上記と同様に、映像表示部（表示画面）８に確認表示４０が表示される。この確認表示４０にも、例えば、上記確認残り時間表示４１、通知確認表示４２、入力表示４３が表示される。
【００３１】
そして、上記と同様に、通知確認表示４２は「過去48時間このＴＶは操作されませんでした。通知連絡先に通知を発信しますか？」と、確認事項が表示される。
ここでも、この映像表示装置１の上記無操作時間が上記設定された４８時間に達した、または４８時間を超えた場合に、この表示が表示される。
上記のように、入力表示４３はユーザに入力を促す表示である。例えば、「いいえ（キャンセル）」、「はい（通知発信）」のユーザ入力が表示されている。
これらの入力表示４３は、例えば、ユーザがリモコン２１を操作し、入力が行なわれる。ここでも、ユーザが入力を行なえない場合は、上記「いいえ（キャンセル）」、「はい（通知発信）」のどちらの入力も行なえない場合もある。
【００３２】
確認残り時間表示４１は、例えば、上記確認表示４０の通知確認表示４１や入力表示４３の表示を継続する時間を示している。ここでも、「安否確認表示残り時間  １０分００秒」と表示されている。
【００３３】
そして、この実施の形態においては、例えば、ユーザによって、上記「はい（通知発信）」の入力が行なわれた場合は、送受信部２２から上記予め設定された発信先に向け、電子メール６０の発信処理を行なう。
【００３４】
また、例えば、ユーザによって、上記「いいえ（キャンセル）」の入力が行なわれた場合は、上記発信先に向けた電子メール６０の発信処理は行なわれない。
また、この実施の形態においては、例えば、上記確認残り時間表示４１（例えば、ここでは１０分）が経過しても、ユーザによって、上記「いいえ（キャンセル）」、「はい（通知発信）」のどちらの入力も行なわれない場合は、送受信部２２から上記予め設定された発信先に向け、電子メール６０の発信処理を行なう。
【００３５】
そして、例えば、ユーザによって、通知確認表示４２に表示された、「はい（通知発信）」の入力が行なわれた場合、または、「いいえ（キャンセル）」、「はい（通知発信）」のどちらの入力も行なわれない場合は、映像表示装置１の送受信部２２から予め設定された発信先に向け、電子メール６０の発信が行なわれる。
【００３６】
ここでは、図４に示すように、電子メール６０が、予め設定された発信先（例えば電子メールビューワ５２）に送信される。
そして、この発信先（電子メールビューワ５２）は、この電子メール６０を受信し、例えば、安否確認によってこの通知が発信されたことを知ることができる。
このように、この実施の形態においては、例えば、安否確認において、入力表示４３を表示し、ユーザ（例えばお年寄りや要介護者等）が通知に関する「いいえ（キャンセル）」、「はい（通知発信）」の入力を行なうように構成している。
【００３７】
このため、ユーザ（例えばお年寄りや要介護者等）のプライバシーが侵害されることを防止することが可能になる。
また、この実施の形態においては、例えば、ユーザ（例えばお年寄りや要介護者等）が上記入力表示４３に表示された、「いいえ（キャンセル）」、「はい（通知発信）」等の入力を行なえない場合には、例えば電子メール６０によって、予め設定された発信先に安否情報等を発信するように構成している。
【００３８】
このため、安否確認を充実させることが可能になる。
図５は、実施形態に係わる映像表示装置の動作を説明するフローチャートである。
符号Ｓ１００はここでの開始ステップである。続いて、ステップＳ１０１に進む。
ステップＳ１０１は、上記のように、予め、映像表示装置（ＴＶ）１の無操作検出時間（ここでは、例えば４８時間）と安否確認通知の発信先（例えばＴＶ電話の電話番号、メールアドレス等）を、フラッシュメモリ１５の記憶部１６等に設定記憶するステップである。なお、安否確認通知の発信は、ＴＶ電話や電子メールに限られることはなく、例えばＦａｘや電話等でも可能である。続いて、ステップＳ１０２に進む。
【００３９】
ステップＳ１０２は、映像表示装置（ＴＶ）１の上記ユーザ無操作時間を検出するステップである。ユーザ無操作時間の検出は、例えば、上記のように、映像表示装置１の電源がＯＮでない時間を検出する。続いて、ステップＳ１０３に進む。
【００４０】
ステップＳ１０３は、ユーザ無操作時間が予め設定された時間を超えたかを判別するステップである。ここでは、この時間は、例えば、４８時間に設定されている。なお、この映像表示装置１の電源がＯＮでない時間の設定は、適宜、ユーザによって変更可能であり、例えば、２４時間、１週間、１ヶ月、３ヶ月等とすることも可能である。
【００４１】
また、この設定は、例えば、毎日午前７時や日曜日の午前７時、毎月１日の午前７時等のように、定期的となるように設定することも可能である。
ユーザ無操作時間が予め設定された時間を超えたと判別される場合は、ステップＳ１０４に進む（Ｙｅｓ）。ユーザ無操作時間が予め設定された時間を超えないと判別される場合は、ステップＳ１０３に進み、ここでの処理を繰り返す（Ｎｏ）。
【００４２】
ステップＳ１０４は、例えば、映像表示装置（ＴＶ）１の電源をＯＮにするステップである。続いて、ステップＳ１０５に進む。
ステップＳ１０５は、映像表示部（表示画面８）に、例えば図２に示す確認画面表示４０を出力表示するステップである。この画面表示では、ユーザによって、例えば、通知発信のＯＮ、ＯＦＦ等が入力される。続いて、ステップＳ１０６に進む。
【００４３】
ステップＳ１０６は、例えば図２に示すように、映像表示部８に安否確認残り時間４１を出力表示するステップである。続いて、ステップＳ１０７に進む。
ステップＳ１０７は、例えば、ここで表示された入力表示４３を用い、ＴＶ電話や電子メール等の通知発信処理がユーザに入力ＯＮ操作入力されたかを判別するステップである。上記通知発信処理がユーザに入力ＯＮ操作入力されたと判別される場合は、ステップＳ１０８に進む（Ｙｅｓ）。上記通知発信処理がユーザに入力ＯＮ操作入力されたと判別されない場合は、ステップＳ１１０に進む（Ｎｏ）。
【００４４】
ステップＳ１０８は、予め設定された発信先に電話番号やメールアドレス等の通知を発信するステップである。続いて、ステップＳ１０９に進む。
ステップＳ１０９発信先で電話番号、メールアドレス等の通知を受信するステップである。続いて、ステップＳ１１３に進む。
ステップＳ１１０は、例えば、図２に示す確認画面表示４０が出力表示されたが、ユーザは上記入力表示４３に対して無入力のまま、表示された確認残り時間４１が経過したかを判別するステップである。ユーザ無入力のまま、確認残り時間４１が経過したと判別される場合はステップＳ１０８に進む（Ｙｅｓ）。ユーザ無入力のまま、確認残り時間４１が経過したと判別されない場合はステップＳ１１１に進む（Ｎｏ）。
【００４５】
ステップＳ１１１は、上記表示された入力表示４３を用い、ＴＶ電話や電子メール等の通知発信処理がユーザにＯＦＦ操作入力されたかを判別するステップである。ＴＶ電話や電子メール等の通知発信処理がユーザにＯＦＦ操作入力されたと判別される場合はステップＳ１１２に進む（Ｙｅｓ）。ＴＶ電話や電子メール等の通知発信処理がユーザにＯＦＦ操作入力されないと判別される場合はステップＳ１０７に進み、上記処理を繰り返す（Ｎｏ）。
【００４６】
ステップＳ１１２は、上記予め設定されたＴＶ電話や電子メール等の通知を発信しないステップである。続いて、ステップＳ１１３に進む。
ステップＳ１１３は、終了ステップであり、ここでの処理は終了する。
上記のように構成することによって、この発明の実施の形態においては、安否確認を充実させることと、プライバシーを保護することを、両立させることが可能になる。
【００４７】
なお、上記説明においては、音声と映像を含めた「ＴＶ電話」の例を用いたが、この実施の形態においては、例えば、音声のみまたは映像のみの通信方式を用いることも可能である。
【００４８】
また、上記説明においては、「電子メール」を用いる例も説明したが、この実施の形態においては、これに代え、ＦＡＸやその他のパケット通信等による通信方式を用いることも可能である。
【００４９】
なお、上記実施形態は、記述そのものに限定されるものではなく、実施段階では、その趣旨を逸脱しない範囲で、構成要素を種々変形して具体化することが可能である。
【００５０】
また、上記実施形態に開示されている複数の構成要素の適宜な組み合せにより種々の発明を形成できる。
例えば、実施形態に示される全構成要素から幾つかの構成要素を削除してもよい。更に、異なる実施形態に亘る構成要素を適宜組み合せてもよい。
【符号の説明】
【００５１】
１…映像表示装置、２…アンテナ、３…チューナ、４…信号処理部、５…映像処理部、６…音声処理部、７…表示装置、８…表示画面（映像表示部）、９…スピーカ、１０…バス、１１…制御部、１２…ＭＰＵ、１３…ＲＡＭ、１４…ＲＯＭ、１５…フラッシュメモリ、１６…記憶部、１７…内部記録装置、１８…外部インターフェース、２５…放送局、２６…ネットワーク（インターネット）、２７…サーバ、３０…撮像装置（カメラ）、４０…確認表示、４１…確認残り時間表示、４２…通知確認表示、４３…入力表示。
【図１】
2012227807.tif 000003
【図２】
2012227807.tif 000004
【図３】
2012227807.tif 000005
【図４】
2012227807.tif 000006
【図５】
2012227807.tif 000007
【手続補正書】
【提出日】平成24年3月22日(2012.3.22)
【手続補正１】
【補正対象書類名】特許請求の範囲
【補正対象項目名】全文
【補正方法】変更
【補正の内容】
【特許請求の範囲】
【請求項１】
放送された映像を映像表示部が表示する映像表示装置であって、
当該映像表示装置が操作されなかった時間を検出し、この操作されなかった時間が予め設定された時間を超える場合に、発信を行なうか否かが入力される確認表示を前記映像表示部に出力して表示する確認表示出力部と、
前記映像表示部に前記確認表示を表示する時間を出力して表示する表示時間出力部と、
前記映像表示部に隣接するように設けられた撮像部と
前記確認表示に係る、発信を行なう旨の入力が行なわれた場合、または、前記発信を行なわない旨の入力が行なわれずに、前記表示された確認表示を表示する時間が経過した場合には、予め設定された発信先に向けて発信を行ない、前記撮像部が撮像した映像を前記発信先に送信する発信部と
を備える映像表示装置。
【請求項２】
前記発信部は、前記発信を行なわない旨の入力が行なわれた場合は、前記発信を行なわない、
請求項１に記載の映像表示装置。
【請求項３】
前記予め設定された時間および前記予め設定された発信先に係る情報を記憶する記憶部を備える、
請求項１または２に記載の映像表示装置。